(57)【要約】      （修正有）【課題】組み立てた状態において、１枚の側板のみを取り外すことのできる組み立て式コンテナを提供する。【解決手段】組み立て式コンテナ１の４枚の側板のうち、第３の側板４３０は、上下左右の４箇所に形成及び設置された係合ピン４３４とラッチ錠４３６により、隣接する第１の側板４１０から延伸し第３の側板４３０の両側に配置される係合プレート４１３に固定される。各係合ピン４３４は、係合プレート４１３に形成された係合ピン嵌合孔に嵌合され、各ラッチ錠４３６から突出されるスライドピン４３７と第３の側板４３０の外面との間に係合プレート４１３が挟持される。４箇所のラッチ錠４３６による係合プレート４１３の挟持を解除することにより、第３の側板４３０は内側に移動可能となり、上に引き上げ取り外すことができる。【選択図】図１
0003206309.tif 000002
【実用新案登録請求の範囲】
【請求項１】
パレットと、前記パレット上に立設可能かつ前記パレット上に積載可能な複数の側板とを有する組み立て式コンテナであって、
前記複数の側板は、対向配置された一対の固定側板と、前記固定側板の対向する側辺の間に設置される少なくとも１枚の開放可能側板とを含み、
前記一対の固定側板は、対向する側辺から各々対向する方向に突出した板状部分であって、前記開放可能側板に外側から当接する係合プレートを有し、
前記開放可能側板は、外面に凸部を有し、
前記係合プレートは、前記開放可能側板が板面方向外側に移動することにより、前記開放可能側板の前記凸部が挿入される凸部受け部を有し、
前記開放可能側板は、前記凸部が前記係合プレートの前記凸部受け部に挿入された状態のときに、前記係合プレートの前記凸部受け部の近傍において前前記係合プレートの外側となる第１位置と前記係合プレートの外側とならない第２位置とに移動可能な挟持部材を有する係合プレート挟持機構を有し、
前記開放可能側板は、前記凸部及び前記係合プレート挟持機構のみにより前記パレット上に立設状態に維持される
ことを特徴とする組み立て式コンテナ。
【請求項２】
前記凸部受け部は、前記一対の固定側板の各前記係合プレートの上下２箇所に形成されており、
前記凸部は前記凸部受け部に対応して前記開放可能側板に４箇所形成されており、
前記係合プレート挟持機構は、前記凸部受け部に対応して前記開放可能側板に４箇所設置されている
ことを特徴とする請求項１に記載の組み立て式コンテナ。
【請求項３】
前記開放可能側板は、前記凸部として、当該開放可能側板の外面から板面方向外側に突出した係合ピンを有し、
前記係合プレートは、前記凸部受け部として、前記係合ピンが挿入される係合ピン嵌合孔を有し、
前記係合プレート挟持機構は、スライドピンが、前記係合プレートの外側となる前記第１位置と前記係合プレートの外側とならない前記第２位置との間で移動可能に構成されたラッチ錠である
ことを特徴とする請求項１又は２に記載の組み立て式コンテナ。
【考案の詳細な説明】
【技術分野】
【０００１】
本考案は、側板を折り畳むことができる組み立て式コンテナに関し、特に、組み立て式コンテナを組み立てた状態で１枚の側板のみを取り外すことのできる組み立て式コンテナに関する。
【背景技術】
【０００２】
使用時にはパレットの周縁に側板を立設して内部に物品を収容し、使用しない時には側板をパレット上に水平に（パレットの上面に平行な方向に）積載しておく組み立て式コンテナが広く使用されている。組み立て式コンテナは、回送時や保管時に側板をパレット上に折り畳んで容積を小さくすることができるので、繰り返し使用するコンテナにおいて非常に有効である。
【０００３】
組み立て式コンテナとしては、側板がパレットから分離せず回動してパレット上に倒置され積層される形態のものと、側板をパレットから完全に分離してしまう形態のものがある。前者は、側板の損傷や紛失を防ぐという点で有効であり、後者は、コンテナの清掃や側板の修理・交換を行う際に有効である。また、これら両者の長所を備えた組み立て式コンテナとして、通常使用時はパレットから分離する必要なく側板を折り畳める形態ながら、清掃等の必要な時には側板を比較的容易にパレットから分離することができる組み立て式コンテナもある（特許文献１参照）。
【０００４】
しかし、近年、内容物（収容した物品）のサンプリングや検品を行いたい場合、内容物の状態を確認したい場合、あるいは、物品を側面方向から収容したり取り出したりしたい場合等において、パレット上に立設されている側板を１枚のみを取り外すことが要望される場合がある。特許文献１に開示されている組み立て式コンテナにおいても、１枚の側板のみを取り外すことはできない。対向配置される一方の側板は隣接して対向配置される他方の側板を折り畳まなければ取り外すことはできず、他方の側板は下縁両側のピンが一方の側板のピンの下を交差しているため一方の側板を取り外さなければ取り外すことはできない構成となっているからである。
【先行技術文献】
【特許文献】
【０００５】
【特許文献１】特開２００９−８３８７５号公報
【考案の開示】
【考案が解決しようとする課題】
【０００６】
したがって、本考案の目的は、組み立て式コンテナにおいて、側板を組み立てた状態で１枚の側板のみを取り外すことができ、内容物のサンプリングや内容物の状態の確認等を容易に行うことのできる組み立て式コンテナを提供することにある。
【課題を解決するための手段】
【０００７】
前記目的を達成するために、本考案に係る組み立て式コンテナは、パレットと、前記パレット上に立設可能かつ前記パレット上に積載可能な複数の側板とを有する組み立て式コンテナであって、
前記複数の側板は、対向配置された一対の固定側板と、前記固定側板の対向する側辺の間に設置される少なくとも１枚の開放可能側板とを含み、
前記一対の固定側板は、対向する側辺から各々対向する方向に突出した板状部分であって、前記開放可能側板に外側から当接する係合プレートを有し、
前記開放可能側板は、外面に凸部を有し、
前記係合プレートは、前記開放可能側板が板面方向外側に移動することにより、前記開放可能側板の前記凸部が挿入される凸部受け部を有し、
前記開放可能側板は、前記凸部が前記係合プレートの前記凸部受け部に挿入された状態のときに、前記係合プレートの前記凸部受け部の近傍において前前記係合プレートの外側となる第１位置と前記係合プレートの外側とならない第２位置とに移動可能な挟持部材を有する係合プレート挟持機構を有し、
前記開放可能側板は、前記凸部及び前記係合プレート挟持機構のみにより前記パレット上に立設状態に維持されることを特徴とする。
【０００８】
好ましくは、本考案に係る組み立て式コンテナにおいて、
前記凸部受け部は、前記一対の固定側板の各前記係合プレートの上下２箇所に形成されており、
前記凸部は前記凸部受け部に対応して前記開放可能側板に４箇所形成されており、
前記係合プレート挟持機構は、前記凸部受け部に対応して前記開放可能側板に４箇所設置されている。
【０００９】
また好ましくは、本考案に係る組み立て式コンテナにおいて、
前記開放可能側板は、前記凸部として、当該開放可能側板の外面から板面方向外側に突出した係合ピンを有し、
前記係合プレートは、前記凸部受け部として、前記係合ピンが挿入される係合ピン嵌合孔を有し、
前記係合プレート挟持機構は、スライドピンが、前記係合プレートの外側となる前記第１位置と前記係合プレートの外側とならない前記第２位置との間で移動可能に構成されたラッチ錠である。
【考案の効果】
【００１０】
本考案によれば、側板を組み立てた状態で１枚の側板のみを取り外すことができ、内容物のサンプリングや内容物の状態の確認等を容易に行うことのできる組み立て式コンテナを提供することができる。
【図面の簡単な説明】
【００１１】
【図１】図１は、本考案の一実施形態に係る組み立て式コンテナの構成を示す分解斜視図であり、組み立て式コンテナを第３の側板の方向から見た図である。
【図２】図２は、図１に示した組み立て式コンテナを第２の側板の方向から見た分解斜視図である。
【図３】図３は、図１に示した組み立て式コンテナにおける第１枠部分及びパレット止め金具の構成を説明するための断面図である。
【図４】図４は、図１に示した組み立て式コンテナの第１の側板の構成を示す斜視図である。
【図５】図５は、図１に示した組み立て式コンテナの第２の側板の構成を示す斜視図である。
【図６】図６は、図４に示した第１の側板と図５に示した第２の側板との設置状態を説明するための図である。
【図７】図７は、図１に示した組み立て式コンテナの第３の側板の構成を示す斜視図である。
【図８】図８は、図４に示した第１の側板と図７に示した第３の側板との設置状態を説明するための図である。
【図９】図９は、図７に示した第３の側板の上角部に設置されるラッチ錠を示す図であり、図９（Ａ）は組み立て式コンテナの上方向から見た図であり、図９（Ｂ）は組み立て式コンテナの側面方向から見た図である。
【図１０】図１０は、図７に示した第３の側板の下側側部に設置されるラッチ錠を示す図である。
【図１１】図１１は、組み立て式コンテナが組み立てられた状態において、第３の側板が取り外された状態を示す斜視図である。
【考案を実施するための形態】
【００１２】
本考案の組み立て式コンテナの一実施形態について図１〜図１１を参照して説明する。本実施形態の組み立て式コンテナは、任意の物品を収容可能なコンテナであり、例えば、食品、医薬品、あるいは工業製品の部品等の収容に用いて好適なものである。
【００１３】
図１に示すように、組み立て式コンテナ１は、パレット１００、下枠２００、床板３００、対向して設置される２枚の第１の側板（固定側板）４１０、対向して設置される各１枚の第２の側板４２０と第３の側板（開放可能側板）４３０、及び、蓋５００を有する。
【００１４】
パレット１００は、コンテナ１の搬送台である。パレット１００の側面には、フォークリフトの爪部が差し込まれるリフト用孔１１０が形成されている。組み立て式コンテナ１においては、後述するように、リフト用孔１１０を利用してパレット止め金具２３０により下枠２００がパレット１００に設置される。本実施形態においてパレット１００は樹脂製であるが、ステンレスやアルミニウム等の金属製であってもよい。
【００１５】
下枠２００は、パレット１００の上面の周縁に沿って設置される金属製部材である。下枠２００は、第１の側板４１０〜第３の側板４３０の位置を規定するとともに、これらを立設あるいは折り畳むための支持部材である。下枠２００は、第１の側板４１０が立設される位置に沿って設置される第１枠部分２１０と、第２の側板４２０及び第３の側板４３０が立設される位置に沿って設置される第２枠部分２２０とを有する。
【００１６】
図１及び図６に示すように、第１枠部分２１０の両端部には、第１の側板４１０の下縁両端部に設けられたに側板位置規定用ピン４１５が落とし込まれる溝２１５が形成されている。溝２１５は、図６に示すように、第２枠部分２２０の板面からさらに外方向に突出するように形成されている。
【００１７】
また、図１及び図６に示すように、第１枠部分２１０の両端部には、抜け防止ピン挿入孔２１７が形成されている。抜け防止ピン挿入孔２１７は、第１の側板４１０が第１枠部分２１０に沿って立設された時に、第１の側板４１０に形成された抜け防止ピン４１７が挿入される孔である。第１の側板４１０が抜け防止ピン４１７を抜け防止ピン挿入孔２１７に挿入させて第１枠部分２１０に沿って立設されることにより、第１の側板４１０は、下枠２００の第１枠部分２１０に対して上方向に抜けない状態とされる。
【００１８】
また、図３に示すように、第１枠部分２１０の内側には、第１の側板４１０が載置される段差部２１２が設けられている。第１の側板４１０が第１枠部分２１０に沿って立設される時、第１の側板４１０はこの段差部２１２上に載置される。したがって、第１の側板４１０〜第３の側板４３０が下枠２００に沿って立設される時、第１の側板４１０の下縁は第２の側板４２０及び第３の側板４３０の下縁よりも上方に配置されることとなる。
【００１９】
このような形態の下枠２００は、パレット止め金具２３０によりパレット１００に設置される。パレット止め金具２３０は、図３に示すように、上部２３１はスペーサ金具２３５を介在させて第１枠部分２１０の下部（段差部２１２の下部）に接続され、第１枠部分２１０とともにパレット１００の上板部１２０を押さえている。また、下部２３２は、リフト用孔１１０からパレット１００の内部に挿入されて先端の櫛状掛止部２３３がパレット上板部１２０の裏面（リフト用孔１１０の内部の上面）に格子状に形成された補強リブ１２１に嵌合されている。このような形態により、パレット止め金具２３０は、パレット１００の上板部１２０を上下から挟み込み、下枠２００をパレット１００に固定している。
【００２０】
床板３００は、図１に示すように、組み立て式コンテナ１の収容空間の下面を規定する板部材である。床板３００は、パレット１００上の下枠２００で囲まれた範囲に載置される。床板３００としては、プラスチック段ボール板、合成樹脂板（発泡合成樹脂板を含む）、薄い金属板、合板、繊維板（フィルム等を貼り付けたものを含む）等が用いられる。
【００２１】
２枚の第１の側板４１０及び各１枚の第２の側板４２０及び第３の側板４３０の合計４枚の側板は、パレット１００の上面周縁部に立設され、パレット１００上に所望の物品を収容する組み立て式コンテナ１の内部収容空間を形成する。
一対の第１の側板４１０は、矩形のパレット１００の一方の対辺上に相互に対向するように配置され、第２の側板４２０と第３の側板４３０は、パレット１００の他方の対辺上に相互に対向するように、また、第１の側板４１０の両側端を連結するように配置される。
【００２２】
第１の側板４１０〜第３の側板４３０の各々は、面部材の周囲に、側端枠材、上下枠材等の枠部材が装着された構成である。面部材の材質は特に限定されないが、例えば床板３００と同様のプラスチック段ボール板、合成樹脂板（発泡合成樹脂板を含む）、薄い金属板、合板、繊維板（フィルム等を貼り付けたものを含む）等が用いられる。また枠部材は、例えば鋼材等の金属で構成される。
【００２３】
第１の側板４１０は、図４に示すように、両側側端面下部に、外方向に突出した側板位置規定用ピン４１５を有する。第１の側板４１０をパレット１００に取り付ける時には、この側板位置規定用ピン４１５を第１枠部分２１０の両側に形成された溝２１５に落とし込む。これにより第１の側板４１０は、その下縁の水平方向の位置が第１枠部分２１０に沿った位置に保持される。前述したように、第１の側板４１０の下縁は第１枠部分２１０の段差部２１２上に載置された状態となっている。したがって、第１の側板４１０は、その下縁及び側板位置規定用ピン４１５を支点として回動され、第１枠部分２１０に沿って立設された状態、あるいは、パレット１００上に折り畳まれた状態とされる。
【００２４】
第１の側板４１０の両側外面の下部には、第１の側板４１０が第１枠部分２１０に沿って立設された時に第１枠部分２１０の抜け防止ピン挿入孔２１７に挿入される抜け防止ピン４１７が形成されている。第１の側板４１０は、抜け防止ピン４１７を第１枠部分２１０の抜け防止ピン挿入孔２１７に挿入させて第１枠部分２１０に沿って立設されることにより、第１枠部分２１０に対して上方向に抜けない状態とされる。
【００２５】
第１の側板４１０の左右両方の側縁部には、第２の側板４２０及び第３の側板４３０と係合するための係合プレート４１３が形成されている。係合プレート４１３は、第１の側板４１０の左右両側の周縁部から板面に垂直に内側方向（第２の側板４２０又は第３の側板４３０の方向）に延びた薄板状の部分である。係合プレート４１３は、第１の側板４１０の枠部材の一部を内側方向に延伸することにより、あるいは、第１の側板４１０の両側の枠部材として断面Ｌ字の金具を用いることにより形成するのが好適である。第１の側板４１０〜第３の側板４３０がパレット１００上に立設される場合、第１の側板４１０の係合プレート４１３に、隣接する第２の側板４２０又は第３の側板４３０が密接に配置されて、第２の側板４２０及び第３の側板４３０に備わるラッチ錠（係合プレート保持機構）４２６，４３６によりその密接状態が維持される。
【００２６】
第１の側板４１０の係合プレート４１３には、第２の側板４２０又は第３の側板４３０に具備される係合ピン（凸部）４２４，４３４が嵌合される係合ピン嵌合孔（凸部受け部）４１４が形成されている。係合ピン嵌合孔４１４は、第２の側板４２０が設置される側の係合プレート４１３には上部の１箇所に形成され、第３の側板４３０が設置される側の係合プレート４１３には上部と中央やや下側の２箇所に形成されることが基本構成であるが、両側の係合プレート４１３に各々２箇所形成されていてもよい。前述したように、第２の側板４２０及び第３の側板４３０が第１の側板４１０の係合プレート４１３に密接するように立設された状態において、第２の側板４２０及び第３の側板４３０の係合ピン４２４，４３４が第１の側板４１０の係合ピン嵌合孔４１４に嵌合される。
【００２７】
第２の側板４２０は、図２及び図５に示すように、その下縁両側に、下縁を延長する方向に突出した側板位置規定用ピン４２５を有する。側板位置規定用ピン４２５は、隣接する第１の側板４１０の厚みとほぼ同じ程度の長さに形成される。第２の側板４２０をパレット１００に取り付ける時には、側板位置規定用ピン４２５を含む第２の側板４２０の下縁部分を、第２枠部分２２０に沿って配置する。
【００２８】
このとき、第２の側板４２０は、第１の側板４１０を第１枠部分２１０に沿って設置する前に設置する。すなわち、第２の側板４２０をまずパレット１００上の当該位置に配置し、その後、第１の側板４１０を、前述したように側板位置規定用ピン４１５を第１枠部分２１０の溝２１５に落とし込むことにより装着する。これにより、図６に示すように、第２の側板４２０の側板位置規定用ピン４２５の上に第１の側板４１０が配置されることとなる。
【００２９】
第１の側板４１０及び第２の側板４２０を立設した場合も、第１の側板４１０と第２の側板４２０の側板位置規定用ピン４２５との位置関係は同じである。第１の側板４１０及び第２の側板４２０を立設した場合には第１の側板４１０は前述したように抜け防止ピン４１７が第１枠部分２１０の抜け防止ピン挿入孔２１７に挿入され、上方に抜けないように設置される。その結果、側板位置規定用ピン４２５が第１の側板４１０の下に配置されている第２の側板４２０も、上方に抜けない状態に設置されることになる。
【００３０】
図５に示すように、第２の側板４２０の外面上部の左右両縁部には、第１の側板４１０及び第２の側板４２０がパレット１００上において立設された時に、第１の側板４１０の係合プレート４１３に形成された係合ピン嵌合孔４１４に嵌合される係合ピン４２４が形成されている。第２の側板４２０は、係合ピン４２４を第１の側板４１０の係合ピン嵌合孔４１４に嵌合させて第１の側板４１０の係合プレート４１３に密接されて立設されることにより、第１の側板４１０に対して少なくとも上下方向に移動しない状態に維持される。
【００３１】
また、第２の側板４２０の外面上部の左右両縁部の前述した係合ピン４２４の近傍には、第１の側板４１０の係合プレート４１３と第２の側板４２０の板面との間（外面との間）を密接した状態に維持するラッチ錠４２６が設置されている。ラッチ錠４２６の構成や機能は、第３の側板４３０のラッチ錠４３６の構成や機能と同一なので、ここでは説明を省略する。
【００３２】
第２の側板４２０は、第１の側板４１０とともにパレット１００上に立設された時、その左右両側の周縁部の外面に、第１の側板４１０の係合プレート４１３が密接される。この状態においてラッチ錠４２６を操作し、第１の側板４１０の係合プレート４１３を第２の側板４２０の板面とラッチ錠４２６のスライドピンとの間に挟持する。その結果、第２の側板４２０は第１の側板４１０の係合プレート４１３に密接された状態で維持され、パレット１００の上部に倒れ込むことが防止される。
【００３３】
また、ラッチ錠４２６を操作してラッチ錠４２６のスライドピンによる第１の側板４１０の係合プレート４１３の挟持状態を解除すれば、第２の側板４２０は組み立て式コンテナ１の内側に折り畳むことが可能となる。第２の側板４２０においては、上隅部の２箇所に設けられたラッチ錠４２６により、第２の側板４２０と第１の側板４１０の立設状態及び折り畳み状態が切り替えられる。
【００３４】
第３の側板４３０は、図７に示すように、外面の上部の左右両側及び下部の左右両側の４箇所に、係合ピン（凸部）４３４及びラッチ錠４３６が形成及び設置された構成である。
【００３５】
係合ピン４３４は、第１の側板４１０及び第３の側板４３０がパレット１００上に立設された時に、第１の側板４１０の係合プレート４１３に形成された係合ピン嵌合孔４１４に嵌合されるピンである。第３の側板４３０は、係合ピン４３４が第１の側板４１０の係合プレート４１３の係合ピン嵌合孔４１４に嵌合されることにより、第１の側板４１０に対して上下方向に移動しない状態に維持される。
【００３６】
係合ピン４３４の近傍に設置されたラッチ錠４３６は、第２の側板４２０のラッチ錠４２６と同様に、第１の側板４１０の係合プレート４１３と第３の側板４３０の板面との間（外面との間）を密接した状態に維持する。
【００３７】
ここで、ラッチ錠４３６の構成及び機能について、図９及び図１０を参照して説明する。図９は、第３の側板４３０の上角部に設置されたラッチ錠４３６を示す図であり、図１０は、第３の側板４３０の下側側部に設置されたラッチ錠４３６を示す図である。
【００３８】
いずれのラッチ錠４３６においても、ラッチ錠４３６は、第３の側板４３０の外面と平行に、その外面と所定の間隔で軸方向に移動するスライドピン（挟持部材）４３７と、これをスライドさせるための把持部４３８と、把持部４３８を通過させると同時にこれを掛止するための掛止部４３９とを有する。
【００３９】
ラッチ錠４３６においては、把持部４３８を掛止部４３９よりも端部側に移動させた時に、スライドピン４３７は第３の側板４３０の端部側に突出した状態（第１位置）４３７ａとなる。この状態で把持部４３８をスライドピン４３７の周方向に回転させることにより、把持部４３８が掛止部４３９より掛止されて内側に移動できなくなり、スライドピン４３７はその突出した状態４３７ａで維持される。
【００４０】
また、把持部４３８をスライドピン４３７の周方向に回転させて掛止部４３９の間隙の位置にあわせることにより、把持部４３８は掛止部４３９の間隙を通過して第３の側板４３０の内側方向に移動可能な状態となる。この状態で把持部４３８を掛止部４３９よりも内側に移動させた時に、スライドピン４３７は第３の側板４３０の内側に移動した状態（第２位置）４３７ｂとなる。この状態で把持部４３８をスライドピン４３７の周方向に回転させることにより、把持部４３８が掛止部４３３により掛止されて端部側に移動できなくなり、スライドピン４３７はその内側の状態４３７ｂで維持される。
【００４１】
第３の側板４３０は、このような構成の係合ピン４３４及びラッチ錠４３６が、図７に示すように上下左右の４箇所に設置されているものであるが、一方で、第１の側板４１０あるいは第２の側板４２０が具備しているような、側端面から両側に突出するようなピン、すなわち、第１の側板４１０の側板位置規定用ピン４１５や、第２の側板４２０の側板位置規定用ピン４２５のようなピンは形成されていない。さらに言えば、第３の側板４３０には、ピンに限らず、第３の側板４３０の側端面から両側に突出する構成は形成されていない。
【００４２】
したがって、第３の側板４３０と、隣接する第１の側板４１０との設置状態は、図８に示すように、第３の側板４３０の外面と第１の側板４１０の係合プレート４１３との係合ピン４３４を介した嵌合関係以外にはない。このことはすなわち、第３の側板４３０の係合ピン４３４と第１の側板４１０の係合プレート４１３とが干渉しない状態においては、第３の側板４３０は、何ら移動を制限されないことを意味する。さらに言えば、第３の側板４３０を第１の側板４１０の係合プレート４１３から係合ピン４３４の高さ以上離せば、第３の側板４３０は、第１の側板４１０がパレット１００上に対向して立設されている状態においても、第３の側板４３０単独で組み立て式コンテナ１への設置や、組み立て式コンテナ１からの分離が可能となる。
【００４３】
したがって、組み立て式コンテナ１においては、図１１に示すような形態で使用することが可能である。図１１に示す組み立て式コンテナ１は、蓋５００と第３の側板４３０が取り外されていて、その他の一対の第１の側板４１０や第２の側板４２０は設置されている状態である。
【００４４】
このような状態において、たとえば組み立て式コンテナ１の上方から、対向する第１の側板４１０の係合プレート４１３の内側に第３の側板４３０を挿入する。次に、第３の側板４３０を外側に平行移動し、第３の側板４３０の４箇所の係合ピン４３４を第１の側板４１０の係合プレート４１３の係合ピン嵌合孔４１４に嵌合させる。そして、４箇所のラッチ錠４３６を操作して、第３の側板４３０の外面と係合プレート４１３とが密着した状態を維持する。このようにすれば、第３の側板４３０は組み立て式コンテナ１に設置される。
【００４５】
また、反対の操作をすることにより、すなわち、ラッチ錠４３６を操作して係合プレート４１３との係合を解除し、第３の側板４３０を内側に平行移動し係合ピン４３４と係合ピン嵌合孔４１４との係合を解除することにより、組み立て式コンテナ１から第３の側板４３０のみを分離し、側方の４面のうち１面のみを開放することが可能となる。
本実施形態の組み立て式コンテナ１の第３の側板４３０は、このように単独で着脱が可能に構成された側板である。
【００４６】
蓋５００は、第１の側板４１０〜第３の側板４３０によりパレット１００上に規定される組み立て式コンテナ１の収容空間の上部開口を閉塞するための部材である。
蓋５００も、床板３００、及び、第１の側板４１０〜第３の側板４３０と同様に、例えばプラスチック段ボール、薄い金属板、合板、繊維板（フィルム等を貼り付けたものを含む）等により構成される。
蓋５００の上面には、物品を収容した状態で、あるいは、折り畳まれた状態で、コンテナ１を順次段積み可能なように、係止凸部５１０が形成されている。係止凸部５１０は、パレット１００の下面の図示せぬ掛止凹部に係合するような配置、形状に形成される。
【００４７】
次に、組み立て式コンテナ１の使用形態について説明する。
組み立て式コンテナ１に物品を収容せず、組み立て式コンテナ１を保管あるいは回送等するときは、パレット１００上に、第３の側板４３０、第２の側板４２０及び２枚の第１の側板４１０をこの順に積載する。また、さらにその上に蓋５００を載置する。組み立て式コンテナ１は、この状態で段積みされる等して保管等される。
【００４８】
このように折り畳まれた組み立て式コンテナ１を使用する、すなわち所望の物品を収容するときは、まず、対向する２枚の第１の側板４１０を第１枠部分２１０に沿って立設する。第１の側板４１０はパレット１００上に折り畳まれているので、その上部を支持して下縁が回転軸となるように持ち上げることにより、第１の側板４１０は立設状態となる。このとき、第１の側板４１０の抜け防止ピン４１７が第１枠部分２１０の抜け防止ピン挿入孔２１７に挿入される。その結果、第１の側板４１０は、第１枠部分２１０に対して上方に抜けない状態となる。
【００４９】
第１の側板４１０を立設したら、次に、第２の側板４２０を立設する。同じくパレット１００上に折り畳まれている第２の側板４２０の上部を支持して、下縁が回転軸となるように持ち上げることにより、第２の側板４２０は立設状態となる。この時、第２の側板４２０は第１の側板４１０の係合プレート４１３に当接した状態となり、第２の側板４２０の上部両側に形成されている係合ピン４２４は第１の側板４１０の係合ピン嵌合孔４１４に嵌合された状態となる。
【００５０】
第２の側板４２０を第１の側板４１０に沿って立設した状態としたら、第２の側板４２０のラッチ錠４２６を操作して、ラッチ錠４２６のスライドピンと第２の側板４２０の外面との間で第１の側板４１０の係合プレート４１３を挟持した状態とする。これにより第２の側板４２０と第１の側板４１０は、いずれもパレット１００上に倒れ込むことが防止され、立設された状態に維持される。
【００５１】
第２の側板４２０を設置した状態は、図１１に示すように第３の側板４３０を設置する面が開放された状態である。組み立て式コンテナ１に収容する物品を組み立て式コンテナ１の上部から組み立て式コンテナ１に入れる場合には、続いて第３の側板４３０を設置する。一方で、物品を、第３の側板４３０を設置することとなる開放された側面から組み立て式コンテナ１に入れる場合には、第３の側板４３０は、物品を組み立て式コンテナ１に入れてから設置する。
【００５２】
第３の側板４３０の設置は、前述したように、まず、第３の側板４３０を組み立て式コンテナ１の上方から第３の側板４３０を設置すべき開放されている側面部分に挿入する。次に、第３の側板４３０の４箇所の係合ピン４３４が各々第１の側板４１０の係合プレート４１３の係合ピン嵌合孔４１４に嵌合するように、第３の側板４３０を外側に平行移動する。そして、４箇所のラッチ錠４３６を各々操作し、ラッチ錠４３６のスライドピン４３７と第３の側板４３０の外面との間に第１の側板４１０の係合プレート４１３が挟持される状態とする。
【００５３】
これにより、第３の側板４３０は第１の側板４１０の対向する側辺間に固定設置され、パレット１００の上部空間（組み立て式コンテナ１の内部収容空間）の周囲が取り囲まれた状態となる。
そして最後に、蓋５００により組み立て式コンテナ１の上部開口を閉塞することにより、物品の収容が完了する。
【００５４】
組み立て式コンテナ１に収容されている内容物のサンプリングを行うとき、あるいは、内容物の状態の確認を行うときは、まず、蓋５００を取り外し、次いで、第３の側板４３０のラッチ錠４３６を解除し、第３の側板４３０を組み立て式コンテナ１の内側方向に平行移動させる。この操作により第３の側板４３０の係合ピン４３４が第１の側板４１０の係合プレート４１３の係合ピン嵌合孔４１４から離脱したら、第３の側板４３０は上方に引き上げる。必要な高さだけ第３の側板４３０を引き上げることにより、組み立て式コンテナ１の内容物の状態の確認等を行うことができる。
【００５５】
組み立て式コンテナ１から内容物を取り出したいときは、第３の側板４３０を最後まで引き上げて取り外す。その結果、第３の側板４３０が設置されていた側面及び組み立て式コンテナ１の上部は開放状態（図１１に示す状態）となるので、これらの開放部分から物品の取り出すことができる。
【００５６】
物品を取り出したら、再び組み立て式コンテナ１を折り畳む。組み立て式コンテナ１の折り畳みは、まず、パレット１００の上面に取り外した第３の側板４３０を水平に載置し、次に、第２の側板４２０のラッチ錠４２６を操作して第２の側板４２０を内側に傾倒させ、第３の側板４３０の上に積載する。最後に、一対の第１の側板４１０を第２の側板４２０の上に順に傾倒し載置し、これら折り畳まれた第１の側板４１０〜第３の側板４３０の上部を、蓋５００で被覆する。
以上により、組み立て式コンテナ１はコンパクトに折り畳まれた状態となり、回送等される。
【００５７】
このように、本実施形態の組み立て式コンテナ１においては、一対の第１の側板４１０及び第２の側板４２０をパレット１００上に立設した状態において、第３の側板４３０のみを取り外すことができる。すなわち、内部に物品を収容した状態において、１枚の側板（第３の側板４３０）のみを取り外したり、あるいは引き上げて下部から内部を目視できるようにしたりすることができる。
【００５８】
したがって、組み立て式コンテナ１に収容されている物品のサンプリング、検品、組み立て式コンテナ１に内容物の状態の確認、内容物の収容状態の確認、あるいは、組み立て式コンテナ１の側面方向からの内容物の取り出し等を、適切に行うことができる。
【００５９】
なお、本考案は、上述した実施形態に限定されるものではなく、本考案の範囲内で種々に改変することができる。
【００６０】
例えば、前述した実施形態の組み立て式コンテナ１は、側板としては一対の第１の側板４１０と各１枚の第２の側板４２０及び第３の側板４３０とを有し、第３の側板４３０の１枚のみが、組み立て式コンテナ１が組み立てられた状態において単独で開放可能という構成であった。しかし、第２の側板４２０も第３の側板４３０と同じ構成とすることができる。すなわち、複数の側板として、対向配置される一対の第１の側板４１０と、第１の側板４１０に隣接して対向配置される一対の第３の側板４３０とを有する構成とすることができる。
【００６１】
このような構成の組み立て式コンテナにおいては、一対の第３の側板４３０のうち一方を残しておけば組み立て式コンテナの組み立て状態は維持することができる。すなわち、いずれか一方の第３の側板４３０を取り外すのであれば、組み立て式コンテナの組み立てられた状態を維持しながら、一の側面を開放することができる。その結果、同時に両方の第３の側板４３０を取り外さないことを条件として、対向する第３の側板４３０のいずれか任意の側の第３の側板４３０を開放することができる組み立て式コンテナを提供することができる。
【符号の説明】
【００６２】
１…組み立て式コンテナ
１００…パレット
１１０…リフト用孔
１２０…上板部
１２１…補強リブ
２００…下枠
２１０…第１枠部分
２１２…段差部
２１５…溝
２１７…抜け防止ピン挿入孔
２２０…第２枠部分
２３０…パレット止め金具
２３１…上部
２３２…下部
２３３…櫛状掛止部
２３５…スペーサ金具
３００…床板
４１０…第１の側板（固定側板）
４１３…係合プレート
４１４…係合ピン嵌合孔（凸部受け部）
４１５…側板位置規定用ピン
４１７…抜け防止ピン
４２０…第２の側板
４２４…係合ピン
４２５…側板位置規定用ピン
４２６…ラッチ錠
４３０…第３の側板（開放可能側板）
４３４…係合ピン（凸部）
４３６…ラッチ錠（係合プレート保持機構）
４３７…スライドピン（挟持部材）
４３７ａ…第１位置、４３７ｂ…第２位置
４３８…把持部
４３９…掛止部
５００…蓋
５１０…係止凸部
【図１】
0003206309.tif 000003
【図２】
0003206309.tif 000004
【図３】
0003206309.tif 000005
【図４】
0003206309.tif 000006
【図５】
0003206309.tif 000007
【図６】
0003206309.tif 000008
【図７】
0003206309.tif 000009
【図８】
0003206309.tif 000010
【図９】
0003206309.tif 000011
【図１０】
0003206309.tif 000012
【図１１】
0003206309.tif 000013